(57)【要約】      （修正有）【課題】省エネが可能であるとともに、有効に食品粉体を篩い分ける篩装置を提供する。【解決手段】食品粉体を篩い分ける篩装置１００は、壁部で囲まれる篩体１と、フィルター部１２と、可動フレーム２を含み、可動フレームが、滑り部２１と、多角形回転脚部２２と、連結部２３と、把手２４を有し、把手が滑り部に連結されることによって、可動フレームが収納スペースＳ内で滑り回転する。【選択図】図２
0003202354.tif 000002
【実用新案登録請求の範囲】
【請求項１】
食品粉体を篩い分ける篩装置であって、
壁部で囲まれる収納スペースと、前記収納スペース上端と下端に接続する上部入口及び下部出口と、前記下部出口に設置するフィルタ部と、前記上部入口と所定の距離で離れた前記壁部の内壁面から前記上部入口の下に沿って形成される滑り槽とを含む篩体と、
前記収納スペースに設置され、滑り部と、多角形回転脚部と、連結部と、把手を有する可動フレームと、を含み、
前記滑り部が前記滑り槽に滑設されることで前記滑り槽に沿って滑動され、前記滑り部が滑り部の外周から外へ突出した少なくとも一つの突出部材を有し、前記多角形回転脚部が複数の回転枠及び複数の回転端部を有し、前記複数の回転枠により多角形を構設し、前記複数の回転端部がそれぞれ前記複数の回転枠の間で連結することにより前記多角形の端部を構成し、且つ前記複数の回転枠が前記フィルタ部に付着し、前記複数の回転端部が前記壁部の内壁面に対応し、前記連結部が前記滑り部と前記多角形回転脚部の間に連結されることによって、前記滑り部の滑動と共に前記多角形回転脚部が前記フィルタ部に対し平行に回転し、前記把手が前記滑り部に連結されることによって、前記可動フレームが前記収納スペース内で滑り回転することを特徴とする篩装置。
【請求項２】
前記篩体がさらに前記壁部から外へ延伸する取手を含むことを特徴とする請求項１に記載の篩装置。
【請求項３】
前記可動フレームが更に、前記滑り部から前記篩体の上部入口に向かって外へ延伸すると共に前記篩体の上部入口に接触される固定部材を備えることを特徴とする請求項１に記載の篩装置。
【請求項４】
前記固定部材が溝部を含み、且つ前記把手が前記溝部に貫設されることを特徴とする請求項３に記載の篩装置。
【請求項５】
前記可動フレームがさらに前記多角形回転脚部の周縁から外へ突出する補強部を備えることを特徴とする請求項１に記載の篩装置。
【請求項６】
前記フィルタ部がフィルタとクランプリングを含み、前記クランプリングが前記フィルタの周縁を囲むと共に挟持し、且つ前記クランプリングが前記篩体の下部出口に連結されることを特徴とする請求項１に記載の篩装置。
【請求項７】
前記多角形回転脚部が六角形の回転脚部であることを特徴とする請求項１に記載の篩装置。
【請求項８】
前記上部入口の直径が前記可動フレームの直径より大きいことを特徴とする請求項１に記載の篩装置。
【請求項９】
前記滑り部が前記滑り槽に嵌合されることを特徴とする請求項１に記載の篩装置。
【考案の詳細な説明】
【技術分野】
【０００１】
本考案は篩装置に関するものであって、特に良好な篩効果が得られる篩装置に関するものである。
【背景技術】
【０００２】
篩装置は、食品粉体を篩い分ける篩装置であって、例えば、篩装置を使って小麦粉、ココア、砂糖を篩い分けして整粒する。従来の篩装置は、筺体と、筺体底部に設置される網面を有し、網面の孔で食品粉体を篩い分けして整粒し、濾過効果を達成する。しかしながら、従来の篩装置を使用する際、一回に入れた粉体が多い時、網面に粉末詰まりが発生し、振動で篩装置に詰まった粉末を網面の下に落とすことができるが、その一部の粉末が網面の周囲に堆積するという点で改善の余地があった。
【０００３】
従来の篩装置から食品粉体を落下させるのに、持続的に篩装置を振動させる必要があるため、手の痛みに繋がる。したがって、あるメーカは電動式の篩装置を開発し、バッテリーで底部の回転部材を回転させることによって、粉末を網面の下に落とすことができるようになったが、電気の無駄使い及びバッテリーによる環境汚染などの問題を抱えている。
【考案の概要】
【考案が解決しようとする課題】
【０００４】
本考案は、上記問題点に鑑みてなされたものであって、省エネが可能であるとともに、有効に食品粉体を篩い分ける篩装置を提供することを目的とする。
【課題を解決するための手段】
【０００５】
上記目的を達成するために、本考案が提供する篩装置は、食品粉体を篩い分ける篩装置であって、壁部で囲まれる収納スペースと、前記収納スペース上端と下端に接続する上部入口及び下部出口と、前記下部出口に設置するフィルタ部と、上部入口と所定の距離で離れた壁部の内壁面から上部入口の下に沿って形成される滑り槽とを含む篩体と、前記収納スペースに設置され、滑り部と、多角形回転脚部と、連結部と、把手を有する可動フレームを含み、前記滑り部が前記滑り槽に滑設される（滑合するように設けられる）ことで前記滑り槽に沿って滑動され、前記滑り部が滑り部の外周から外へ突出した少なくとも一つの突出部材を有し、前記多角形回転脚部が複数の回転枠及び複数の回転端部を有し、前記複数の回転枠により多角形を構設し、前記複数の回転端部がそれぞれ前記複数の回転枠の間で連結することにより前記多角形の端部を構成し、且つ前記複数の回転枠が前記フィルタ部に付着し、前記複数の回転端部が前記壁部の内壁面に対応し、前記連結部が前記滑り部と前記多角形回転脚部の間に連結されることによって、前記滑り部の滑動と共に前記多角形回転脚部が前記フィルタ部に対し平行に回転し、前記把手が滑り部に連結されることによって、前記可動フレームが前記収納スペース内で滑り回転することを特徴とするものである。
【０００６】
本考案の一態様として、前記篩体がさらに前記壁部から外へ延伸する取手を備えていてもよい。
【０００７】
本考案の一態様として、前記可動フレームが更に、前記滑り部から篩体の上部入口に向かって外へ延伸すると共に前記篩体の上部入口に接触される固定部材を備えていてもよい。
【０００８】
本考案の一態様として、前記固定部材が溝部を含み、且つ前記把手が前記溝部に貫設されていてもよい。
【０００９】
本考案の一態様として、前記可動フレームがさらに前記多角形回転脚部の周縁から外へ突出する補強部を備えていてもよい。
【００１０】
本考案の一態様として、前記フィルタ部がフィルタとクランプリングを含み、前記クランプリングが前記フィルタの周縁を囲むと共に挟持し、且つ前記クランプリングが前記篩体の下部出口に連結されていてもよい。
【００１１】
本考案の一態様として、前記多角形回転脚部が六角形の回転脚部であってもよい。
【００１２】
本考案の一態様として、前記上部入口の直径が前記可動フレームの直径よりも大きくてもよい。
【００１３】
本考案の一態様として、前記滑り部が前記滑り槽に嵌合されていてもよい。
【考案の効果】
【００１４】
以上のように、本考案の篩装置によれば、手動で前記フィルタ部の周縁に沿って前記多角形回転脚部の回転端部を回すことで、前記フィルタ部の周縁に詰まった粉末を前記フィルタ部から落下させることができる。これによって、従来の篩装置と比較すると、省エネが可能であるとともに、有効に食品粉体を篩い分けることができる。
【００１５】
以下の実施形態及び添付図面により、本考案で採用された実施形態を具体的に説明する。当技術分野に精通した者は本実施形態を精読することで本考案を実現することができる。
【図面の簡単な説明】
【００１６】
【図１】本考案の実施例の篩装置を示す立体図である。
【図２】本考案の実施例の篩装置を示す分解図である。
【図３】本考案の実施例の篩装置を示す断面図である。
【図４】本考案の実施例の篩装置を示す平面図である。
【考案を実施するための形態】
【００１７】
以下は図１から図４に基いて、本考案の実施形態について説明する。該当説明は本考案の実施形態の一つの例示にすぎず、本考案の実施形態を限定するものではない。
【００１８】
図１及び図２が示すように、本考案の篩装置１００は、篩体１、可動フレーム２を含む。
【００１９】
図３が示すように、前記篩体１が壁部１０で囲まれる収納スペースＳを有し、且つ前記収納スペースＳ上端と下端に接続する上部入口１０１と及び下部出口１０２を含む。好ましくは、前記篩体１がさらに前記壁部１０から外へ延伸する取手１１を含み、前記取手１１でユーザーに把持されることができることである。図３が示すように、前記壁部１０の内壁面１０３が上部入口１０１と離れた所定の距離Ｄ（図３が示すように）で上部入口１０１の下に内壁面１０３から外へ凹む滑り槽１１２を形成させる。
【００２０】
図２及び図３が示すように、前記下部出口１０２にフィルタ部１２が載置されている。詳細に説明すると、フィルタ部１２がフィルタ１２１及びクランプリング１２２を含み、前記クランプリング１２２が前記フィルタ１２１の周縁（図３が示すように）を囲むと共に挟持することによって、前記フィルタ１２１の直径が前記壁部１０の直径とほぼ等しく、且つ前記クランプリング１２２が前記篩体１の下部出口１０２に連結されて載置される。当然これに限定はされず、本考案のフィルタ部１２がクランプリング１２２を含まなくてもよい。即ち、前記フィルタ１２１がクランプリング１２２を使用せずに、そのまま前記篩体１の下部出口１０２に設置される。
【００２１】
図２〜図４が示すように、前記可動フレーム２が前記収納スペースＳに設置される。本実施例においては、前記可動フレーム２の直径が前記上部入口１０１の直径より小さい。本考案は当然これに限定はされず、可動フレーム２の直径が前記上部入口１０１の直径よりも大きくてもよい。前記可動フレーム２が、滑り部２１、多角形回転脚部２２、連結部２３、把手２４を含む。
【００２２】
前記滑り部２１が前記滑り槽１１２に滑動するように嵌合することで前記滑り槽１１２に沿って滑動される。前記滑り部２１が滑り部２１の外周から外へ突出した少なくとも一つの突出部材２１１を含む。具体的には、前記滑り部２１は、前記突出部材２１１を前記滑り槽１１２に当着されることによって、前記滑り槽１１２に沿って反時計回りまたは時計回りに滑動し、これによって前記可動フレーム２が前記上部入口１０１から脱落し難くなる。本実施例においては、前記突出部材２１１が三つであり、且つ前記突出部材２１１及び前記滑り部２１が一体成型である。当然本考案はこれに限定されず、前記突出部材２１１を前記滑り部２１の外周に個別追加することができる。
【００２３】
前記多角形回転脚部２２が複数の回転枠２２１及び複数の回転端部２２２を含む。前記複数の回転枠２２１により多角形が構設され、前記複数の回転端部２２２がそれぞれ前記複数の回転枠２２１の間に連結することにより前記多角形の端部を構成し、且つ前記複数の回転枠２２１が前記フィルタ部１２に付着している。詳細に説明すると、前記複数の回転枠２２１の下部がフィルタ１２１と接触している。図４が示すように、本実施例においては、前記多角形回転脚部２２が六角形の回転脚部であり、即ち、前記複数の回転端部２２２が六つである。当然本考案はこれに限定されず、前記多角形回転脚部２２が五角形、四角形、八角形等の多角形又は円形であってもよい。
【００２４】
前記連結部２３が前記回転端部２２２から上部へ延伸すると共に前記滑り部２１と前記多角形回転脚部２２の間に連結されることによって、前記滑り部２１の滑動と共に前記多角形回転脚部２２が前記フィルタ部１２に対し平行に回転される。本実施例においては、前記連結部２３は三つであって、それぞれ前記回転端部２２２から上部へ延伸される。当然本考案はこれに限定されず、前記連結部２３が二つ以上であってもよい。
【００２５】
前記把手２４を滑り部２１に連結することによって、前記可動フレーム２が前記収納スペースＳ内で滑り回転される。本実施例においては、前記滑り部２１から上部へ延伸される。当然本考案はこれに限定されず、前記把手２４が前記滑り部２１から上部へ延伸すると共に外部へ延伸されてＬ型の把手になり、前記把手２４で把持されてもよい。
【００２６】
好ましくは、前記可動フレーム２がさらに補強部２５及び固定部材２６を含むことである。前記補強部２５が前記多角形回転脚部２２の周縁から外へ突出される。詳細に説明すると、前記補強部２５が前記回転端部２２２から外へ突出される。当然本考案はこれに限定されず、前記補強部２５が前記回転枠２２１から外へ突出されることによって、前記回転端部２２２からフィルタ１２１の周縁に与えている回転力を強化させることもできる。前記固定部材２６が前記滑り部２１から前記篩体１の上部入口１０１外へ延伸すると共に前記篩体１の外壁に嵌合されることによって、操作時に、前記滑り部２１が前記滑り槽１１２に沿って前記フィルタ部１２と平行に回転される。前記固定部材２６が溝部２６１を含み、且つ前記把手２４が前記溝部２６１に貫設されて嵌合されることによって、前記把手２４は操作時に前記滑り部２１から脱落し難くなる。
【００２７】
以上のように、本考案の篩装置によれば、手動で前記フィルタ部の周縁に沿って前記多角形回転脚部の回転端部を回すことで、前記フィルタ部の周縁に詰まった粉末を前記フィルタ部から落下させることができ、これによって、本考案の篩装置は、省エネが可能であるとともに、有効に食品粉体を篩い分けることができる。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の実用新案登録請求の範囲は、このような調節や修正を含めて広く解釈されるべきである。
【符号の説明】
【００２９】
１００  篩装置
１  篩体
１０  壁部
１０１  上部入口
１０２  下部出口
１０３  内壁面
１１  取手
１１２  滑り槽
１２  フィルタ部
１２１  フィルタ
１２２  クランプリング
２  可動フレーム
２１  滑り部
２１１  突出部材
２２  多角形回転脚部
２２１  回転枠
２２２  回転端部
２３  連結部
２４  把手
２５  補強部
２６  固定部材
２６１  溝部
Ｓ  収納スペース
Ｄ  距離
【図１】
0003202354.tif 000003
【図２】
0003202354.tif 000004
【図３】
0003202354.tif 000005
【図４】
0003202354.tif 000006